(57)【要約】  【課題】  振動発生時に傷の付いた光ディスクのプレイアビリティを向上させることができる光ディスク装置を提供すること。  【解決手段】  光ディスクからの反射光から光ディスクのトラッキング誤差信号を生成するエラー検出手段１２と、光ディスクの反射光から光ディスクの鏡面欠落部を検出したときに傷検出信号を生成する傷検出手段１６と、光ディスクに加わる振動を検出して振動検出信号を生成する振動検出手段１７と、振動検出信号を検出したときには、トラッキング誤差信号の増幅率を上昇させるとともに、傷検出信号を検出したときにはトラッキング誤差信号の信号レベルを一定にすることにより、光ディスクに対する光照射位置を制御する可変利得アンプ４および駆動回路１５と、傷検出信号および振動検出信号を同時に検出したときに、振動検出信号を無効化する制御用ＣＰＵ１８とを設ける。【選択図】  図１
2005293755.tif 000002
【特許請求の範囲】
【請求項１】
光ディスクからの反射光から前記光ディスクのトラッキング誤差信号を生成するトラッキング誤差信号生成手段と、
前記反射光から前記光ディスクの鏡面欠落部を検出して傷検出信号を生成する傷検出手段と、
前記トラッキング誤差信号および前記傷検出信号に基づいてトラッキング制御信号を生成するトラッキング制御信号生成手段と、
前記光ディスクに加わる振動を検出して振動検出信号を生成する振動検出手段と、
前記トラッキング制御信号および前記振動検出信号に基づいて前記光ディスクに対する光照射位置を制御するトラッキング制御手段と、
前記傷検出信号に基づいて前記振動検出信号を無効化する無効化手段とを備えたことを特徴とする光ディスク装置。
【請求項２】
前記無効化手段は、前記傷検出信号および振動検出信号が入力されるＡＮＤ回路を備えたことを特徴とする請求項１に記載の光ディスク装置。
【請求項３】
前記無効化手段は、前記傷検出信号が入力された後に前記振動検出信号を一定時間無効化するタイマを備えたことを特徴とする請求項１または請求項２に記載の光ディスク装置。
【発明の詳細な説明】
【技術分野】
【０００１】
本発明は光ディスク装置に関し、例えば、光ディスクの再生時にトラッキング制御を行うことができる光ディスク装置に関する。
【背景技術】
【０００２】
従来、光ディスクに情報を記録する際、あるいは光ディスクから情報を再生する場合には、光ディスクに形成されたトラックに沿って光ピックアップからレーザ光を照射しており、この際、光ディスク上の鏡面欠落部（ブラックドット）等によってＲＦ信号のレベルが低下するディフェクト検出を行い、この検出結果に基づいてトラッキング制御を行うようにしている。
【０００３】
従来のトラッキング制御装置は図４に示されるような構成をしていた。
【０００４】
図４は従来のトラッキング制御装置のブロック図である。図４において、光ピックアップ１により光ディスクから信号が読み取られ、この信号に基づいてエラー検出手段２で生成されたトラッキングエラー信号がフィードバック制御用にループフィルタ３に入力された後、ループフィルタ３から出力されたトラッキング制御信号が可変利得アンプ４で増幅され、この増幅された信号により駆動回路５を介して光ピックアップ１が駆動される。
【０００５】
また、光ピックアップ１からの信号から傷検出手段６により傷検出信号も生成されるようになっており、光ピックアップ１がディスク上の傷を通過した際には本来のトラッキングエラー信号が得られないため、この傷検出時にはトラッキングエラー信号の信号レベルを一定にするようになっている。
【０００６】
また、外部からの振動が検出されると、振動検出手段７により振動検出信号が生成されるようになっており、振動時は可変利得アンプ４の増幅率を上昇させることにより、光ピックアップ１が振動に追従するように制御するようにしている。
【０００７】
このように傷の付いたディスク再生時や振動時には、傷検出手段６や振動検出手段７に基づいて適切なトラッキング制御を行うことにより、それぞれの場合の光ディスクのプレイアビリティを向上させることができる。
【０００８】
また、光ディスクに付いた傷を検出すると、可変利得アンプ４の増幅率を下降させることにより、光ディスクのプレイアビリティを向上させているものが知られており、この種のトラッキング制御装置としては、光ディスクの鏡面欠落部を検出すると、トラッキング誤差信号のレベルを低下させるようにしたものであり、図４に置き換えると、可変利得アンプ４の増幅率を下降させることにより、誤ったトラッキングジャンプを引き起こすのを防止して、安定したトラッキング制御を行うことができるため、光ディスクのプレイアビリティが向上する（例えば、特許文献１参照）。
【特許文献１】特開平６−２５１４０１号公報
【発明の開示】
【発明が解決しようとする課題】
【０００９】
しかしながら、特許文献１に示すトラッキング制御装置にあっては、光ディスクの傷を検出すると、トラッキング誤差信号のレベルを低下させるようにしたものであり、振動検出と傷検出とに基づいてトラッキング誤差信号をどのように制御するのかについては言及されていない。
【００１０】
また、図４に示すものは、振動時は可変利得アンプ４の増幅率を上昇させることにより、光ピックアップ１が振動に追従するように制御しているようになっているため、傷と振動が同時に検出された場合には、振動検出による可変利得アンプ４の増幅率上昇が傷に追従してしまう結果を招き、増幅率が上昇しない場合よりも光ディスクのプレイアビリティが悪化してしまうというおそれがあった。
【００１１】
具体的には、傷耐性を高めるには、傷による誤ったトラッキングエラー信号に基づいてトラッキング制御がかからないようにするために、可変利得アンプ４の増幅率は上昇させない方が良いのであるが、この制御は振動検出時に可変利得アンプ４の増幅率を上昇させることと矛盾している。特に、傷と振動を同時に検出したときに傷による影響が振動による影響よりも大きかった場合、可変利得アンプ４の増幅率を上昇させることは傷の付いた光ディスクのプレイアビリティを悪化させる原因となるのである。
【００１２】
本発明は、従来の問題を解決するためになされたもので、振動発生時に傷の付いた光ディスクのプレイアビリティを向上させることができる光ディスク装置を提供することを目的とする。
【課題を解決するための手段】
【００１３】
本発明の光ディスク装置は、光ディスクからの反射光から前記光ディスクのトラッキング誤差信号を生成するトラッキング誤差信号生成手段と、前記反射光から前記光ディスクの鏡面欠落部を検出して傷検出信号を生成する傷検出手段と、前記トラッキング誤差信号および前記傷検出信号に基づいてトラッキング制御信号を生成するトラッキング制御信号生成手段と、前記光ディスクに加わる振動を検出して振動検出信号を生成する振動検出手段と、前記トラッキング制御信号および前記振動検出信号に基づいて前記光ディスクに対する光照射位置を制御するトラッキング制御手段と、前記傷検出信号に基づいて前記振動検出信号を無効化する無効化手段とを備えたものから構成される。
【００１４】
この構成により、光ディスクの鏡面欠落部を検出したのと同時に振動が発生した場合に振動検出信号を無効化し、トラッキング制御手段の増幅率を上昇させないようにしたので、傷と振動が同時に検出されたときに傷によるトラッキング外れを軽減して光ディスクのプレイアビリティを向上させることができる。
【００１５】
また、本発明の光ディスク装置は、前記無効化手段が、前記傷検出信号および振動検出信号が入力されるＡＮＤ回路を備えたものから構成される。
【００１６】
この構成により、傷と振動が同時に発生したときにＡＮＤ回路に傷検出信号および振動検出信号を入力させているので、傷と振動が発生したときに高速に動作することができ、傷検出信号と振動検出信号の変動に対して即座に応答することができる。
【００１７】
また、本発明の光ディスク装置は、前記無効化手段が、前記傷検出信号が入力された後に前記振動検出信号を一定時間だけ無効化するタイマを備えたものから構成される。
【００１８】
この構成により、振動を検出したときにトラッキング制御手段の増幅率を上昇させることにより、傷を検出したときのトラッキング誤差信号の信号レベルを一定にする期間の終了後にトラッキング誤差信号が不必要に乱れることを防止することができ、光ディスクのプレイアビリティをより一層向上させることができる。
【発明の効果】
【００１９】
以上説明したように、本発明は、振動発生時に傷の付いた光ディスクのプレイアビリティを向上させることができる光ディスク装置を提供することができる。
【発明を実施するための最良の形態】
【００２０】
以下、本発明の実施の形態について、図面を用いて説明する。
【００２１】
図１は本発明に係る光ディスク装置の第１の実施の形態を示す図である。図１において、光ディスク装置は光ピックアップ１１、エラー検出手段１２、ループフィルタ１３、可変利得アンプ１４、駆動回路１５、傷検出手段１６、振動検出手段１７および制御用ＣＰＵ１８を含んで構成される。
【００２２】
光ピックアップ１１は光ディスクに光を照射するレーザダイオード、光ディスクから反射した光を読み取るフォトダイオード等を備えており、光ディスクに記録された読出信号を読み出す。
【００２３】
エラー検出手段１２はこの読出信号からトラッキングエラー信号（トラッキング誤差信号）を検出するようになっており、このトラッキングエラー信号はフィードバック制御用のループフィルタ１３に入力され、トラッキングエラー信号をもとにループフィルタ１３でトラッキング制御信号を生成する。
【００２４】
可変利得アンプ１４はループフィルタ１３から出力されたトラッキング制御信号を増幅して駆動回路１５に出力するようになっており、駆動回路１５は光ピックアップ１１を駆動して、光ディスク上のトラッキング位置（光照射位置）を制御する。
【００２５】
また、傷検出手段１６は光ピックアップ１１から入力された信号の反射率に基づいて鏡面欠落部である傷を検出するようになっており、傷検出時に傷検出信号を生成してこの傷検出信号を制御用ＣＰＵ１８に出力する。
【００２６】
振動検出手段１７は光ディスク装置に加わる振動を検出するようになっており、振動検出時に振動検出信号を生成してこの振動検出信号を制御用ＣＰＵ１８に出力する。
【００２７】
ループフィルタ１３では傷検出手段１６から傷検出信号が出力されたときに、誤ったトラッキングエラー信号によるトラッキング外れを軽減するために、傷検出手段１６から生成された傷検出信号によりトラッキングエラー信号の信号レベルを一定にする。
【００２８】
また、制御用ＣＰＵ１８は振動検出手段１７から振動検出信号が入力したときに、光ピックアップ１１が振動に追従するように可変利得アンプ１４の増幅率が一定時間上昇するように制御する。
【００２９】
このような構成を有する本実施の形態にあっては、傷検出手段１６と振動検出手段１７によって傷と振動が同時刻に検出された場合、すなわち、傷と振動が同時に検出された場合、または振動検出中に傷が検出された場合や傷検出中に振動が検出された場合に、制御用ＣＰＵ１８に入力された傷検出信号および振動検出信号に対して振動検出信号を無効化することにより、可変利得アンプ１４の増幅率を振動検出により上昇させないようにして駆動回路１５によって光ピックアップ１１のトラッキング位置を制御する。
【００３０】
すなわち、傷耐性を高めるには、傷による誤ったトラッキングエラー信号に基づいてトラッキング制御がかからないようにするために、可変利得アンプ１４の増幅率は上昇させない方が良いのであるが、この制御は振動検出時に可変利得アンプ１４の増幅率を上昇させることと矛盾している。特に、傷と振動を同時に検出したときに傷による影響が振動による影響よりも大きかった場合、可変利得アンプ１４の増幅率を上昇させることは傷の付いた光ディスクのプレイアビリティを悪化させる原因となるのである。
【００３１】
本実施の形態では、光ディスクの傷の検出と振動の検出とが時間的に重なった場合に、振動検出信号を無効化するようにし、可変利得アンプ１４の増幅率を上昇させないようにしたので、傷と振動が同時に検出されたときに傷によるトラッキング外れを軽減して光ディスクのプレイアビリティを向上させることができる。
【００３２】
なお、本実施の形態では、エラー検出手段１２がトラッキング誤差信号生成手段を構成し、ループフィルタ１３がトラッキング制御信号生成手段を構成している。また、可変利得アンプ１４および駆動回路１５がトラッキング制御手段を構成し、制御用ＣＰＵ１８が無効化手段を構成している。
【００３３】
図２は本発明に係る光ディスク装置の第２の実施の形態を示す図であり、第１の実施の形態と同様の構成には同一番号を付して説明を省略する。
【００３４】
本実施の形態では、図２に示すように、制御用ＣＰＵ１８に代えてＡＮＤ回路２１を設けたものであり、ＡＮＤ回路２１に傷検出手段１６から傷検出信号と振動検出手段１７からの振動検出信号を入力し、傷検出信号で振動検出信号を無効化して、傷検出信号を可変利得アンプ１４に入力したものである。
【００３５】
本実施の形態では、傷検出手段１６と振動検出手段１７が傷と振動を同時に検出した場合に、ＡＮＤ回路２１により振動検出信号を無効化するので、可変利得アンプ１４の増幅率が振動検出によって上昇するのを防止することができ、傷によるトラッキング外れを軽減して光ディスクのプレイアビリティを向上させることができる。また、ＡＮＤ回路２１を用いることにより、第１の実施の形態の制御用ＣＰＵ１８よりも高速に動作させることができ、傷検出信号と振動検出信号の変動に対して即座に応答できる。
【００３６】
なお、上記各実施の形態では、傷検出信号による振動検出信号の無効化を制御用ＣＰＵ１８またはＡＮＤ回路２１によって実現しているが、その他の手段で振動検出信号を無効化してもよい。
【００３７】
図３は本発明に係る光ディスク装置の第３の実施の形態を示す図であり、第１の実施の形態と同様の構成には同一番号を付して説明を省略する。
【００３８】
本実施の形態では、図３に示すように傷検出手段１６からの傷検出信号が制御用ＣＰＵ１８に入力される直前にタイマ３１が設けられており、傷検出信号はタイマ３１により一定時間延長されて制御用ＣＰＵ１８に入力される。
【００３９】
本実施の形態では、傷検出手段１６と振動検出手段１７が傷と振動を同時に検出した場合に、タイマ３１により延長された期間だけ振動検出信号を無効化するようにしたので、傷が検出されてから一定時間だけ可変利得アンプ１４の増幅率が振動検出により上昇しないようにすることができる。
【００４０】
具体的には、傷検出によるトラッキングエラー信号の信号レベルを一定にする期間の終了直後は、光ピックアップ１１が光ディスク上の傷と傷のない部分の境界を通過している最中であり、また、光ピックアップ１１が所望のトラック上に必ずしも乗っているとは限らず、トラッキングエラー信号が増大する現象が発生する。
【００４１】
ここで、振動検出信号によって可変利得アンプ１４の増幅率を上昇させてしまうと、トラッキングエラー信号がさらに不必要に乱れ、トラッキング外れを引き起こして光ディスクのプレイアビリティの悪化を招く恐れがある。
【００４２】
本実施の形態では、傷検出終了後もタイマ３１により適当な時間に振動検出信号の無効期間を延長するようにしたので、上述したようなトラッキング外れを軽減して光ディスクのプレイアビリティの向上を図ることができる。
【００４３】
なお、本実施の形態では本発明の第１の実施の形態にタイマ３１を追加することで実現しているが、第２の実施の形態や傷検出信号で振動検出信号を無効化するその他の手段にも応用可能である。
【産業上の利用可能性】
【００４４】
以上のように、本発明に係る光ディスク装置は、振動発生時に傷の付いた光ディスクのプレイアビリティを向上させることができるという効果を有し、光ディスクの再生時にトラッキング制御を行うことができる光ディスク装置等として有用である。
【図面の簡単な説明】
【００４５】
【図１】本発明の第１の実施の形態における光ディスク装置のブロック図
【図２】本発明の第２の実施の形態における光ディスク装置のブロック図
【図３】本発明の第３の実施の形態における光ディスク装置のブロック図
【図４】従来のトラッキング制御装置のブロック図
【符号の説明】
【００４６】
１１  光ピックアップ
１２  エラー検出手段（トラッキング誤差信号生成手段）
１３  ループフィルタ（トラッキング 制御信号生成手段）
１４  可変利得アンプ（トラッキング制御手段）
１５  駆動回路（トラッキング制御手段）
１６  傷検出手段   
１７  振動検出手段
１８  制御用ＣＰＵ（無効化手段）
２１  ＡＮＤ回路
３１  タイマ
【図１】
2005293755.tif 000003
【図２】
2005293755.tif 000004
【図３】
2005293755.tif 000005
【図４】
2005293755.tif 000006